(57)【要約】【課題】  住宅の窓から取り入れる陽射しの大まかな状況を手軽に確認でき、持ち運び容易で使い勝手に優れ、専門知識不要で誰でも使用できる太陽方位盤の提供。【解決手段】  観測点４を中心として方位が図示された透明なベース部１と、夏至、春分・秋分、冬至における時刻Ｔ毎の太陽の方位及び高度（点１１）が図示された透明なフィルム部２を備えることとした。【選択図】      図２
2005189067.tif 000002
【特許請求の範囲】
【請求項１】
観測点を中心として方位が図示された透明なベース部と、
夏至、春分・秋分、冬至における時刻毎の太陽の方位及び高度が図示された透明なフィルム部を備えることを特徴とする太陽方位盤。
【請求項２】
請求項１記載の太陽方位盤において、
前記ベース部を円盤状に形成し、
前記フィルム部を前記ベース部を底面とする半球形状に形成したことを特徴とする太陽方位盤。
【請求項３】
請求項１記載の太陽方位盤において、
前記フィルム部を板状に形成すると共に、ベース部に重ねた状態で折畳み可能に形成したことを特徴とする太陽方位盤。
【請求項４】
請求項１〜３のうちいずれかに記載の太陽方位盤において、
前記ベース部に方位磁石を設けたことを特徴とする太陽方位盤。
【発明の詳細な説明】
【技術分野】
【０００１】
本発明は、住宅設計・施工の受注活動時に、検討中の住宅の窓からどのように陽射しを取り入れる計画かを顧客に分かり易く説明するために使用する装置・器具に関する。
【背景技術】
【０００２】
従来、住宅の窓からどのように陽射しが入るかを顧客に説明する方法として、コンピュータシュミュレーションを用いた技術が知られている（特許文献１参照）。
【特許文献１】特開平１１−３０６２１２号公報
【発明の開示】
【発明が解決しようとする課題】
【０００３】
しかしながら、特許文献１記載の発明にはあっては、３次元データ等の膨大なデータをコンピュータに入力して部屋の各部の日射量を定量的に求めるため、データの入力から作成までに時間、手間、コストが大変かかり手軽に実施することは実際上困難であった。
また、検討中の住宅では設計変更の生じることが多々あり、再度必要なデータを入力し直すために大変手間がかかり、誰しもが入力出来て利用しうる技術になっていない。
【０００４】
一方、住宅設計・施工の受注活動時において顧客は住宅の日当たりが良いか、部屋のどのあたりまで陽射しを取り入れられるかに関心があるものの、窓の位置、大きさ等は設計検討の一要素であり、厳密な意味で部屋の各部の日射量を定量的に把握する必要性は感じていない。
特に住宅設計の初期段階においては、年間を通じて窓からの陽射しの概略が検討できれば良いので、例えば、夏至、春分・秋分、冬至の時期に窓から取得できる陽射しがどのように変化するかを大まかに把握できれば、春分から冬至などその中間帯の取得状況は充分推測可能である状況にある。
【０００５】
本発明は上記問題点を解決するためになされたものであって、その目的とするところは、設計する住宅の窓から入る陽射しの大まかな状況を手軽に確認でき、持ち運び容易で使い勝手に優れた太陽方位盤を提供することにある。
【課題を解決するための手段】
【０００６】
上記課題を解決するため、請求項１記載の発明では、観測点を中心として方位が図示された透明なベース部と、夏至、春分・秋分、冬至における時刻毎の太陽の方位及び高度が図示された透明なフィルム部を備えることを特徴とする。
【０００７】
請求項２記載の発明では、請求項１記載の太陽方位盤において、ベース部を円盤状に形成し、フィルム部を前記ベース部を底面とする半球形状に形成したことを特徴とする。
【０００８】
請求項３記載の発明では、請求項１記載の太陽方位盤において、前記フィルム部を板状に形成すると共に、ベース部に重ねた状態で折畳み可能に形成したことを特徴とする。
【０００９】
請求項４記載の発明では、請求項１〜３のうちいずれかに記載の太陽方位盤において、前記ベース部に方位磁石を設けたことを特徴とする。
【発明の効果】
【００１０】
本発明の請求項１記載の発明にあっては、観測点と方位が図示された透明なベース部と、夏至、春分・秋分、冬至における時刻毎の太陽の方位及び高度が図示された透明なフィルム部と、を備えるため、住宅設計図の上に太陽方位盤を乗せて、該住宅設計図の方位と太陽方位盤の方位を一致させた状態とし、太陽方位盤の観測点と、住宅設計図において陽射しの変化を知りたい窓とを重ね合わせることにより、前記窓からどのように陽射しを取り入れられるかの大まかな状況を手軽に確認できる。
【００１１】
請求項２記載の発明にあっては、前記ベース部を円盤状に形成し、前記フィルム部を前記ベース部を底面とする半球形状に形成したため、太陽の方位及び高度を視覚的に捉え易くなり使い勝手が向上する。
【００１２】
請求項３記載の発明にあっては、フィルム部を板状に形成すると共に、ベース部に重ねた状態で折畳み可能に形成したため、コンパクトにして持ち運ぶことが可能となる。
【００１３】
請求項４記載の発明にあっては、前記ベース部に方位磁石を設けたため、既存または施工中の住宅内に太陽方位盤を持ち運んで使用することができる。
【発明を実施するための最良の形態】
【００１４】
以下、この発明の実施例を図面に基づいて説明する。
【実施例１】
【００１５】
以下、実施例１について説明する。
図１は本発明の実施例１の太陽方位盤の斜視図、図２は同分解斜視図、図３は太陽方位盤の側面を示す概略図、図４は本実施例１の太陽方位盤の使用方法を説明する図である。
【００１６】
図１、２に示すように、本実施例１の太陽方位盤Ａは、ベース部１とフィルム部２と方位磁石３を主要な構成としている。
【００１７】
前記ベース部１は透明なプラスチック製で直径１１ｃｍ、厚み１ｃｍ程度の円盤状に形成され、その水平な上面には観測点４と、該観測点４を中心とした方位５と、観測適合場所６（本実施例では東京地区：北緯３５．５°）などが図示されている。
【００１８】
また、東京地区を観測点４に想定した場合の夏至、春分・秋分、冬至における日の出及び日の入りの方位に近接してその正確な時刻７が図示されている。
【００１９】
前記フィルム部２は、透明なプラスチック製で半球形状に形成され、その底面の外周縁部８が前記ベース部２の外周縁部９に密着した状態で固定されるようになっている。
【００２０】
前記フィルム部２の表面には、東京地区を観測点４に想定した場合の冬至の太陽の軌跡１０が、時刻Ｔに対応した点１１と共に図示され、これにより観測点４において時刻Ｔの太陽の方位及び高度を確認できるようになっている。
【００２１】
さらに、前記冬至の太陽の軌跡１０と同様に、春分・秋分の太陽の軌跡１２と夏至の太陽の軌跡１３がそれぞれ前記時刻Ｔに対応した点１１と共に図示されている。
なお、本実施例１では前記時刻Ｔを１時間毎に設定して６時から１９時までを点１１で図示しているが、この時刻Ｔの間隔は適宜設定することができる。
また、補足ではあるが、図３に示すように、東京の春分・秋分における太陽の南中高度は、９０°−（３５．５°：観測地点（東京）の緯度）＝５４．５°となり、これにより夏至における太陽の南中高度は５４．５°＋２３．４°＝７７．９°、冬至における太陽の南中高度は５４．５°−２３．４°＝３１．１°となっている。
【００２２】
前記方位磁石３は方位５の北に近接して前記ベース部１の上に水平な状態で固定されている。
【００２３】
以下、本実施例１の太陽方位盤Ａの使用方法について説明する。
図４（ａ）に示すように、検討中の住宅設計図１５において、窓１６から取り入れる陽射しの変化を確認する場合には、図４（ｂ）に示すように、住宅設計図１５の上に太陽方位盤Ａを乗せて該住宅設計図１５の方位１７と太陽方位盤Ａの方位５を一致させた状態すると共に、観測点４と窓１６を重ね合わせることにより、該窓１６から取り入れられる時間Ｔ毎の陽射しの方位及び高度が確認できる。
【００２４】
具体的には、例えば冬至の日の出方向に何ら障害物が無いと仮定すると、冬至の時期には窓１６において７時１２分の日の出と共に陽射し（矢印Ｙにて図示）が入り始めてから１０時の陽射し（矢印Ｚにて図示）までは隣家に妨げられることなく陽射しが入るなどの大まかな状況を簡単に確認できる。
【００２５】
また、太陽の高度から、窓１６から取り入れる陽射しへの隣家が及ぼす影響についても大まかな検討が可能となる。
【００２６】
従って、顧客との住宅設計・施工の受注活動時に、検討中の住宅設計図１５の方位１７と太陽方位盤Ａの方位５を一致させた状態で観測点４と窓１６を重ね合わせるという簡便な作業でもって前記窓１６からどのように陽射しを取り入れられるかの大まかな状況が手軽に確認でき、従来の発明に比べて時間、手間、コストをかけることなく、窓から取り入れる陽射しの変化を顧客に分かり易く説明することができる。
【００２７】
また、このような太陽方位盤Ａは顧客との住宅設計・施工の受注活動時に限らず、設計者が設計中の住宅の窓から取り入れる陽射しの検討にも使用でき、さらに設計中の住宅が及ぼす影のラフチェックにも使用できる。
【００２８】
さらに、本実施例の太陽方位盤は方位磁石３を備えるため、太陽方位盤Ａを既存または施工中の住宅内に持ち運んで方位磁石３の磁針を北に合わせた状態で使用すると、現地で雨が降っていて日当たりの確認などが困難な場合でもその位置における陽射しの変化を確認することができ、住宅内を顧客に紹介しながら各部屋の陽射しの変化を分かり易く説明することができる。
【実施例２】
【００２９】
以下、実施例２について説明する。
図５は本発明の実施例２の太陽方位盤の斜視図、図６は本実施例２の太陽方位盤の側面図、図７は本実施例２の太陽方位盤が折畳まれた状態を示す斜視図である。
【００３０】
図５に示すように、本実施例１の太陽方位盤Ｂは、ベース部２０とフィルム部２１〜２３と方位磁石２４を主要な構成としている。
【００３１】
前記ベース部２０は透明なプラスチック製で直径１２ｃｍ、厚み１ｃｍ程度の円盤状に形成され、その中心には方位磁石２４が内装される他、該方位磁石２４を中心とした方位２５と、観測適合場所２６（本実施例では東京地区：北緯３５．５°）などが図示されている。
【００３２】
また、図示を省略するが、前記ベース部２０の上面にはその中心を観測点に想定した場合の夏至、春分・秋分、冬至における日の出及び日の入りの方位に近接してその正確な時刻が図示されている。
なお、本実施例２のベース部２０は必ずしも透明でなくても良い。
【００３３】
前記フィルム部２１〜２３は、透明なプラスチック製で略半円形状の板状にそれぞれ形成され、前記ベース部２０に傾倒可能に固定されている。
また、図６に示すように、前記フィルム部２１〜２３はベース部２０に傾倒可能に固定された支持片２１ａ〜２３ａによって所定の角度（本実施例では５４．５°）を保つように支持されている。
従って、図７に示すように、前記フィルム部２１〜２３を傾倒させてベース部２０に重ね合わせることにより、折畳んだ状態にすることができるようになっている。
【００３４】
前記フィルム部２１の半円形の外周縁部は、ベース部２０の中心を観測点に想定した場合の夏至における太陽の軌跡２８が時刻Ｔ１毎に点２９と共に図示され、これにより太陽の方位及び高度を確認できるようになっている。
【００３５】
なお、フィルム部２２、２３も前記フィルム２１と同様にベース部２０に傾倒可能に固定され、春分・秋分における太陽の軌跡３０と冬至における太陽の軌跡３１にそれぞれ対応して図示を省略する点２９で図示されている。
【００３６】
以下、本実施例２の太陽方位盤の使用方法について説明する。
このように構成された太陽方位盤Ｂは、主に既存または施工中の住宅内に持ち運んで使用されるが、この際、前述したように太陽方位盤Ｂのフィルム部２１〜２３は折畳んだ状態にすることができるため、コンパクトにした状態で持ち運ぶことができる。
【００３７】
そして、住宅内で窓に近接して方位磁石２４の磁針を北に合わせることにより時刻Ｔ１毎の太陽の方位及び高度からその窓の陽射しの変化を確認することができ、現地で雨が降っていて日当たりの確認などが困難な場合でも顧客と共に部屋を移動しながら陽射しの変化について専門的な知識を必要とせずに誰しもが分かり易く説明できる。
【００３８】
また、造成地や周辺に既存建物が建っているさら地での太陽の方位及び高度が確認出来ることによって、次の設計業務に反省させることが出来る。
【００３９】
以上、本実施例を説明してきたが、本発明は上述の実施例に限られるものではなく、本発明の要旨を逸脱しない範囲の設計変更等があっても、本発明に含まれる。
【００４０】
例えば、本実施例では太陽の方位及び高度を点１１で図示する構成としたが、図８に示すように、該点１１と観測点４との間にピンＰを設けても良いし、この際、前記ピンを着脱自在に設けたり、該ピンを発光させたり着色して分かり易くしても良い。
【００４１】
また、本実施例では方位磁石３とベース部１を別物で構成するような説明を行ってきたが、方位磁石を透明なベース部に一体に埋め込み形成することでシンプル化をすすめ、視認性・意匠性を高めることもできる。
【００４２】
また、太陽の軌跡として冬至、春分・秋分・夏至の全てを図示させたが、最も太陽の高度が低い冬至のみを図示するようにしても良い。
【００４３】
また、観測場所、日の出、日の入り、太陽の方位及び高度などの図示は、視認性を考慮してその位置を変更したり、記号などを用いて簡略化させても良い。
【００４４】
また、ベース部１に図示された観測点４や方位５を、フィルム部２の図示されていない部分に全て図示してベース部１とフィルム部２を一体化することも考えられる。ただし、この場合、視認性や使い勝手が大幅に損なわれるため、あまり好ましくない。
【００４５】
さらに、本実施例では観測場所を東京地区を例にしたが、日の出及び日の入りの時刻、太陽の方位及び高度などの図示を各地域の緯度に対応させて正確に図示したものを製造することは当然考えられる。
【図面の簡単な説明】
【００４６】
【図１】図１は本発明の実施例１の太陽方位盤の斜視図である。
【図２】実施例１の太陽方位盤の分解斜視図である。
【図３】実施例１の太陽方位盤の側面図（一部省略）である。
【図４】本実施例１の太陽方位盤の使用方法を説明する図である。
【図５】本発明の実施例２の太陽方位盤の斜視図である。
【図６】本実施例２の太陽方位盤の側面図である。
【図７】本実施例２の太陽方位盤の折畳まれた状態を示す斜視図である。
【図８】その他の実施例の太陽方位盤の斜視図である。
【符号の説明】
【００４７】
１、２０  ベース部
２、２１、２２、２３  フィルム部
３、２４  方位磁石
４  観測点
５、１７、２５  方位
６、２６  観測場所
７  時刻
８、９  外周縁部
１０、３１  冬至の太陽の軌跡
１１、２９  点
１２、３０  春分・秋分の太陽の軌跡
１３、２８  夏至の太陽の軌跡
１５  住宅設計図
１６  窓
２１ａ、２２ａ、２３ａ  支持片
【図１】
2005189067.tif 000003
【図２】
2005189067.tif 000004
【図３】
2005189067.tif 000005
【図４】
2005189067.tif 000006
【図５】
2005189067.tif 000007
【図６】
2005189067.tif 000008
【図７】
2005189067.tif 000009
【図８】
2005189067.tif 000010